(57)【要約】【課題】従来のＢＩＢ型のウォーターサーバーに用いられている飲料水バッグを、一定の高さを有し、例えば樹脂製の美観に優れる筐体を備えるニードルタイプのウォーターサーバーに使用することを可能にする技術を提供する。【解決手段】注出口を有する飲料水用袋の前記注出口の上端部を覆うための穿刺用樹脂製シートと、前記シートを前記上端面に水密的に（即ち水が漏れないように）保持し、前記シートを前記注出口とは反対側に露出させる開口を有する樹脂製キャップと、を有すること、を特徴とするアタッチメント。【選択図】図１
2015120526.tif 000002
【特許請求の範囲】
【請求項１】
注出口を有する飲料水用袋の前記注出口の上端部を覆うための穿刺用樹脂製シートと、
前記シートを前記上端面に水密的に保持し、前記シートを前記注出口とは反対側に露出させる開口を有する樹脂製キャップと、
を有すること、を特徴とするアタッチメント。
【請求項２】
前記シートと前記キャップとが同一の材料で構成されておりかつ一体化された単一物を形成していること、を特徴とする請求項１に記載のアタッチメント。
【発明の詳細な説明】
【技術分野】
【０００１】
本発明は、バッグインボックスタイプのウォーターサーバーに用いられる飲料水バッグ（飲料水用袋）を、ニードルタイプのウォーターサーバー（即ちニードルで飲料水バッグを穿刺して飲料水を供給するタイプのウォーターサーバー）に使用することを可能にするアタッチメントに関する。
【背景技術】
【０００２】
飲料水バッグにニードルを刺すことによって水を供給するタイプのウォーターサーバーとしては、例えば、尖塔状の先端部及び長さ方向に貫通する中空部を有するニードルを略鉛直方向上側に突出させる構造のものと、当該ニードルを略水平方向に突出させる構造のものが挙げられる。
【０００３】
ここで、図３は、尖塔状の先端部及び長さ方向に貫通する中空部を有するニードル３２を、略鉛直方向上側又は略水平方向（即ち矢印Ｚの方向）に突出させることによって、飲料水バッグ用ホルダー３６内に保持された飲料水バッグ３０を突き刺す構造のウォーターサーバーの主要部を示す図である。
【０００４】
このようなニードルタイプのウォーターサーバーで使用される飲料水バッグ３０は、例えばポリエチレン等の透明樹脂製であり、これの一部に直接にニードル３２を穿刺することによって、ニードル３２の中空部を通して水が供給される。
【０００５】
これに対し、例えば特許文献１（特開２００８−１８９７８号公報）に開示されているように、バッグインボックスタイプ（ＢＩＢ型）のウォーターサーバー５０が広く普及している（図４参照）。このＢＩＢ型のウォーターサーバー５０は、例えばポリエチレン等の透明樹脂製の飲料水バッグ５２を、段ボール製の筐体５４内に備え、料水バッグ５２の注出口４０に取り付けられた注出栓部材４２によって飲料水を排出するものである。
【先行技術文献】
【特許文献】
【０００６】
【特許文献１】特開２００８−１８９７８号公報
【発明の概要】
【発明が解決しようとする課題】
【０００７】
しかしながら、特許文献１に記載のＢＩＢ型のウォーターサーバー５０は、注出口４０の位置が低いことから、利用し易くするためには一定の高さのある場所に置く必要がある。また、お客様等の他人が利用することを考慮すると、段ボール製の筐体５４のままでは、外観上好ましくない。
【０００８】
そこで、本発明の目的は、従来のＢＩＢ型のウォーターサーバーに用いられている飲料水バッグを、一定の高さを有し、例えば樹脂製の美観に優れる筐体を備えるニードルタイプのウォーターサーバー（即ちニードルで飲料水バッグを穿刺して飲料水を供給するタイプのウォーターサーバー）に使用することを可能にする技術を提供することにある。
【課題を解決するための手段】
【０００９】
本発明者らは、上記のような問題を解決すべく、ＢＩＢ型のウォーターサーバーに用いられる飲料水バッグの注出口の部分を有効に活用すれば、上記問題を解決するために好適であると考え、具体的な構造について鋭意検討し、本発明を完成するに至った。
【００１０】
即ち、本発明は、注出口を有する飲料水用袋の前記注出口の上端部を覆うための穿刺用樹脂製シートと、前記シートを前記上端面に水密的に（即ち水が漏れないように）保持し、前記シートを前記注出口とは反対側に露出させる開口を有する樹脂製キャップと、を有すること、を特徴とするアタッチメントを提供するものである。本発明のアタッチメントにおいては、前記シートと前記キャップとが分離可能な態様であってもよく、また、前記シートと前記キャップとが同一の材料で構成されておりかつ一体化された単一物を形成していてもよい。
【００１１】
このような構成を有する本発明のアタッチメントによれば、当該アタッチメントをＢＩＢ型のウォーターサーバーに用いられている飲料水バッグに取り付けることにより、注出口に水密的に樹脂製シートを配置させ、当該樹脂製シートをニードルで穿刺することができる。そのため、ＢＩＢ型のウォーターサーバーに用いられている飲料水バッグを好適にニードルタイプのウォーターサーバーで使用することができる。
【発明の効果】
【００１２】
本発明のアタッチメントによれば、従来のＢＩＢ型のウォーターサーバーに用いられている飲料水バッグを、一定の高さを有し、例えば樹脂製の美観に優れる筐体を備えるニードルタイプのウォーターサーバーに使用することができる。
【図面の簡単な説明】
【００１３】
【図１】本発明のアタッチメントの一実施形態を説明するための一部を透視した概略側面図である。
【図２】図１に示す本発明のアタッチメントの一実施形態の変形例を説明するための一部を透視した概略側面図である。
【図３】ニードルタイプのウォーターサーバーの一例の主要部を示す概略断面図である。
【図４】従来のＢＩＢ型のウォーターサーバーの一例を示す概略斜視図である。
【発明を実施するための形態】
【００１４】
以下、本発明の代表的な実施形態に係るアタッチメントについて、図面を参照しつつ詳細に説明するが、本発明のアタッチメントが図示されるものに限られないことはいうまでもない。また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００１５】
図１は、本発明のアタッチメントの一実施形態を説明するための一部を透視した概略側面図である。本実施形態のアタッチメント１は、穿刺用樹脂製シート２と、樹脂製シート２を内部に保持する樹脂製キャップ４との組合せによって構成されている。
【００１６】
樹脂製シート２は、本実施形態においては矢印Ｘの方向からみると略円状の形態を有しており、ニードルタイプのウォーターサーバーに用いられているニードルによって穿刺可能な厚さを有している。
【００１７】
また、樹脂製シート２を構成する材料は、ニードルタイプのウォーターサーバーに用いられているニードルによって穿刺可能なものであり、ＢＩＢ型のウォーターサーバーに用いられている飲料水用バッグの注出口の上端部を水密的に（水が漏れないように）覆うことのできるものであれば特に制限はない。可撓性や柔軟性を有するものが好ましい。例えば、発泡ポリエチレン等のポリエチレン、エラストマー、シリコーン樹脂等が好適に挙げることができる。
【００１８】
樹脂製キャップ４は、上部に略環状の鍔部４ａを有する略円筒状体で構成されており、中央に開口４ｂが設けられている。この開口から、樹脂製キャップ４の内部に保持される樹脂製シート２が外部に露出することになり、矢印Ｘの方向から移動してくるニードルによって樹脂製シート２を穿刺することができる。また、内側面には、周方向に連続（又は不連続）する略環状の凸部４ｃが設けられている。
【００１９】
このアタッチメント１においては、樹脂製キャップ４のうちの鍔部４ａの下側部と凸部４ｃとの間（符号Ａで示される部分）に、上記の樹脂製シート２が保持されるが、樹脂製シート２の厚さは十分に薄く、後述する飲用水用バッグ２側の注出口１０に連結された際に、符号Ａで示される部分に注出口１０の一部が入り込んで、樹脂製シート２は鍔部４ａの下側部と注出口１０の上端部１０ｃとの間で水密的に保持されることになる。
【００２０】
樹脂製キャップ４は、注出口１０に好適に嵌め込んで連結させることができるように、可撓性を有する材料で構成されているのが好ましい。例えば、エラストマー等が挙げられる。
【００２１】
次に、アタッチメント１は、図１に示すように、矢印Ｙの方向に移動させ、ＢＩＢ型のウォーターサーバーに用いられている、例えば透明のポリエチレン製の飲料水用バッグ２０に取り外し不能な態様で取り付けられた注出口１０に連結して使用する。
【００２２】
本実施形態における飲料水用バッグ２０に取り付けられている注出口１０は、例えばポリプロピレン等の硬さを有する材料で形成された略円筒状体で構成されており、上端部には周方向に連続する鍔部１０ａを有するとともに、飲料水用バッグ２０の内部に通じる開口１０ｂが設けられている。また、注出口１０の外周面には、周方向に連続（又は不連続）する略環状の凸部４ｄが２本、一定の距離をおいて設けられている。
【００２３】
アタッチメント１が注出口１０に連結されると、符号Ａで示される部分に注出口１０の鍔部１０ａが入り込んで、樹脂製シート２は鍔部４ａの下側部と注出口１０の上端部１０ｃとの間で水密的に保持されることになる。
【００２４】
このような構成を有する本実施形態のアタッチメント１によれば、当該アタッチメント１をＢＩＢ型のウォーターサーバーに用いられている飲料水バッグ２０の注出口１０に容易かつ確実に水密的に取り付けることができ、注出口１０に水密的に樹脂製シート２を配置することができる。この樹脂製シート２をニードルで穿刺することができるため、この飲料水バッグ２０を好適にニードルタイプのウォーターサーバーで使用することができる。
【００２５】
以上、本発明の代表的な実施形態について説明したが、本発明はこれらのみに限定されるものではなく、種々の設計変更が可能であり、設計変更の態様は全て本発明の技術的範囲に含まれる。
【００２６】
例えば、上記実施形態においては、注出口が周方向において略平行に走る鍔部及び凸部を有する場合の態様について説明したが、注出口はスクリュータイプの場合の態様についても当然に本発明の技術的範囲に含まれる。
【００２７】
ここで、図２は、図１に示す本発明のアタッチメントの一実施形態の変形例を説明するための一部を透視した概略側面図である。上記実施形態との相違点のみを説明すると、この変形例のアタッチメント１は、図２に示すように、穿刺用樹脂製シート２と、樹脂製シート２と同一の材料で構成されておりかつ一体化された樹脂製キャップ４との単一物によって構成されている。
【００２８】
樹脂製シート２は、本実施形態においては矢印Ｘの方向からみると略円状の形態を有しており、鍔部４ａを構成するとともに、ニードルタイプのウォーターサーバーに用いられているニードルによって穿刺可能なように、中央部に薄い溝部４ｄを有している。この溝部４ｄの形状は、図２に示すように略円状であってもよいが、特に限定されるものではなく、例えば、矩形上、線状、十字状等であってもよい。
【００２９】
このような変形例によっても、当該アタッチメント１をＢＩＢ型のウォーターサーバーに用いられている飲料水バッグ２０の注出口１０に容易かつ確実に水密的に取り付けることができ、注出口１０に水密的に樹脂製シート２の部分を配置することができる。この樹脂製シート２を溝部４ｄの部分でニードルでより確実に穿刺することができるため、この飲料水バッグ２０を好適にニードルタイプのウォーターサーバーで使用することができる。
【符号の説明】
【００３０】
１・・・アタッチメント、
２・・・穿刺用樹脂製シート、
４・・・樹脂製キャップ、
４ａ・・・鍔部、
４ｂ・・・開口、
４ｃ・・・凸部、
４ｄ・・・溝部、
１０・・・注出口、
１０ａ・・・鍔部、
１０ｂ・・・開口、
１０ｃ・・・上端部、
１０ｄ・・・凸部、
２０・・・飲料水用バッグ。
【図１】
2015120526.tif 000003
【図２】
2015120526.tif 000004
【図３】
2015120526.tif 000005
【図４】
2015120526.tif 000006